【事件の表示】
　特許第２９９０４２１号「パチンコ機」の請求項１に係る特許に対する特許異議の申立てについて、次のとおり決定する。
【結　論】
　特許第２９９０４２１号の請求項１に係る特許を維持する。
【理　由】
１．手続きの経緯
　特許第２９９０４２１号の請求項１に係る発明についての出願は、昭和６２年３月２３日に特許出願した特願昭６２−６８２００号（以下、「原出願」という。）の一部を平成９年４月４日に新たな特許出願とし、平成１１年１０月１５日にその発明について特許権の設定登録がなされた後、その特許について、特許異議申立人細江裕実より特許異議の申立てがなされたものである。
２．特許異議申立てについて
（１）本件発明
　特許第２９９０４２１号の請求項１に係る発明の要旨は、その特許請求の範囲に記載された次の事項により特定されるとおりのものである。
「裏板の、役物とアウト口を避けた位置に設けられた制御回路基板の設置部に対し、制御プログラムが書込まれたＲＯＭを搭載した長方形状の制御回路基板を、そのＲＯＭの搭載面が上記裏板に直交し、かつ、その長辺が裏板に臨む方向に、着脱自在に設置したことを特徴とするパチンコ機。」
（２）申立ての理由の概要
ア．特許異議申立人細江裕実は、甲第１号証（特開昭６２−２６０８９号公報）、甲第２号証（実願昭６０−１３６３２５号（実開昭６１−１０９５８７号）のマイクロフィルム）を提示して、本件発明は、甲第１号証および甲第２号証に記載された発明に基づいて当業者が容易に発明をすることができたものであり、特許法第２９条第２項の規定により特許を受けることができないものであるから、特許を取り消すべき旨主張している。
イ．本件発明は、発明の詳細な説明に記載したものでなく、特許法第３６条第４項の規定により違反してされたものであるから、特許を取り消すべき旨主張している。
（３）申立ての理由ア．について
（甲各号証記載の発明）
　甲第１号証には、「第１図は、本発明に係る可変表示装置を備えたパチンコ遊技機全体の構成例を、また、第２図はその遊技領域の構成例を示すもので、・・・この遊技領域の中央には、ゲーム装置としての可変表示装置４が、またその下方には通常は遊技領域の一部を成しているが、可変表示装置４における特定態様の発生により入賞領域に変換する変動入賞装置５が設けられている。・・・上記可変表示装置４の両側方には、それぞれ第１の特定入賞口７が、また．上し記可変表示装置４と変動入賞装置５との間には第２の特定入賞口８が設けてある。・・・第２の特定入賞口８は、遊技領域内に上向きに開□した入賞チャッカーと呼ばれる入賞貝からなる。遊技盤１の上方には、入賞チャッカーからなるいわゆる“天”の入賞口６ａと、飛込み型入賞装置からなる“天の左”、“天の右”の入賞□６ｂ，６ｃが設けられている。また、第１の特定入賞口７の斜め下方外側には、それぞれチューリップ式打球入賞装置９が配置されている。また、遊技盤１の下部には、上方から落下してくる途中で偶発的に上記各入賞領域６ａ〜６ｃ，７，８，９等に入賞できなかった打球を遊技盤の後方へ回収するアウト入口１０が設けられている。」（公報第３頁左上欄４行〜同頁左下欄５行）と記載され、「裏面構成基板５０の背面には、・・・・変動表示機構６０が上壁と下壁に設けられた取着部６０ａにて固定されるようになっている。」（公報第６頁左上欄８行〜同欄１１行）と記載され、「変動表示機構部６０の枠体６１を構成する下壁６１ｂの下面には、中継器を構成する中継基板９３が取り付けられている。この中継基板９３には、・・・各リード線端部のプラグ９４ａ，９４ｂ，９４ｃ，９４ｄを差し込むための端子台９５ａ，９５ｂ，９５ｃ，９５ｄが設けられている。」（第９頁右下欄１６行〜第１０頁左上欄６行）と記載されていることからみて、
　甲第１号証には、裏面構成基板５０の、役物とアウト口を避けた位置に設けられた中継基板９３の設置部に対し、長方形状の中継基板９３を設置した発明が記載されている。
　甲第２号証には、「電気的制御装置３１は、第３図で示すように、ＩＣ、ＬＳＩ等の電子部品３２・・・効果的に組合せて基板３３上に設けるとともに、所定の電子部品３２に導通するを接続端子３４・・・を基板の一側に集中的に設けて基板収納装置３５に収納したもので、各検出器からの電気信号を記憶したり、或いは予め記憶させておいたプログラムにもとずいて演算し、電気信号を発信して中央打球入賞装置１１など各電気的作動機器を制御する機能が有る。」（第７頁２０行〜９行）と記載され、「基板収納装置３５の外面に設けた第１係止部３７は、裏機構板の裏側であって賞球排出樋２５や入賞球集合樋２０の外面に設けた第２係止部４４と係脱可能であればどのような構造でもよい。」（第１０頁５行〜同頁第８行）と記載され、「したがって電気的制御装置３１は賞球排出樋２５の背面に強固に取付けられ、・・・したがって電気的制御装置３１をパチンコ機１から簡単に外すことができる。」（第１１頁７行〜同頁１８行）と記載されていることからみて、
　甲第２号証には、制御プログラムに基づいて制御される電気的制御装置３１をパチンコ機１から簡単に着脱自在に設置した発明が記載されている。
（対比・判断）
　　本件発明と甲第１号証及び甲第２号証に記載の発明とを対比すると、甲第１号証および甲第２号証に記載の発明は、本件発明を特定する事項である、「裏板の制御回路基板の設置部に対し、上記制御回路基板を、そのＲＯＭの搭載面が裏板に直交し、かつ、その長辺が裏板に臨む方向に着脱自在に設置した」とする事項を備えておらず、当該事項により本件請求項１に係る発明は、「制御回路を交換する交換するときの利便性が著しく向上する上に、パチンコ機を多数並べるパチンコホールにおいても、制御回路の着脱が支障なく行われることになる。また、パチンコ機の本体にプログラム用の回路を取付けるのと異なり、故障時の対応が著しく容易になる。」という顕著な効果を奏するものであり、本件発明が上記甲第１号証及び甲第２号証に記載の発明から容易に発明をすることができたものとはいえない。
（４）申立ての理由イ．について
　特許明細書には、図２、図３と共に段落番号【０００９】には、「裏板１には、下部の隅に箱体４が設けられ、この箱体４に、二つのカートリッジ挿入口（以下、単に挿入口という）５，６が形成されている。」と記載され、段落番号【００１０】には、「挿入口５，６には、カートリッジ７，８が裏板１に直交する方向に着脱自在に結合できるようにしたものである。カートリッジ７は、たとえば役物制御用のプログラムを搭載したものであり、カートリッジ８は、球寄せ制御用のプログラムを搭載したものである。」と記載され、段落番号【００１３】には、図３はカートリッジ７の内部構造を示すものである。この図において符号１１で示すものは基板であって、・・・前記各プログラムを書き込んだＲＯＭが搭載されており、・・・以上の構造は、カートリッジ８においても、全く同様である。」と記載されている。
　本件発明は、上記の各記載事項によると、発明の詳細な説明に明確に記載されている。したがって、異議申立人の主張を理由があるものとすることはできない。
（５）むすび
　以上のとおりであるから、特許異議の申立ての理由及び証拠によっては本件発明についての特許を取り消すことはできない。
　また、他に本件発明についての特許を取り消すべき理由を発見しない。
　したがって、本件発明についての特許は拒絶の査定をしなければならない特許出願に対してされたものとは認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年４月２７日（２００１．４．２７）